【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
第１の装置と第２の装置とを接続した状態で光学軸に沿って第１の装置から第２の装置へ画像を移送可能な簡易着脱式アダプタ機構であって、
第１の端縁が前記第２の装置と接続可能に配置され、第２の端縁が前記第１の装置と接続可能に配置された背板を有しているとともに、
その背板の第２の端縁に、中空円筒状チャンバーがフランジ状に設けられており、かつその中空円筒状チャンバー内に、背板内に挿入された第１の装置を係止するための保持装置が設けられており、なおかつ、その保持装置に、第１の装置を離脱させるためのレバーが設けられており、円筒状チャンバーの外壁から突出した状態になっていることを特徴とする簡易着脱式アダプタ機構。
【請求項２】
保持装置が、両端にレバーとフックとを設けた円形のリングであり、そのフックによって、中空円筒状チャンバー内に係止可能になっていることを特徴とする請求項１に記載の簡易着脱式アダプタ機構。
【請求項３】
背板が、中空円筒状チャンバーの後方に中空円筒状チャンバーより小径な小径円筒部を設けたものであり、その小径円筒部上であって中空円筒状チャンバーから突出したレバーから所定の距離内に固定支柱が立設されており、その固定支柱を利用してレバーを操作することによって、背板に接続された第１の装置を片手で離脱可能な請求項１に記載の簡易着脱式アダプタ機構。
【請求項４】
保持装置が、弾性部材によって形成されており、背板内に挿入された第１の装置を把持可能になっていることを特徴とする請求項１記載の簡易着脱式アダプタ機構。
【請求項５】
簡易着脱式アダプタ機構を用い、第１の装置と第２の装置とを、光学軸に沿って第１の装置から第２の装置へ画像を移送可能に接続する接続方法であって、
背板の第１の端縁を前記第２の装置と固着可能に配置し、背板の第２の端縁を前記第１の装置と固着可能に配置するとともに、背板の第２の端縁に、第１の装置を嵌合するための中空円筒状チャンバーをフランジ状に設け、
かつ、その中空円筒状チャンバー内に、接眼レンズを背板に所定位置に固定可能に保持装置を設け、
なおかつ、その保持装置に、第１の装置を背板から素早く離脱させるためのレバーを円筒状チャンバーから突出するように設けることを特徴とする接続方法。
【請求項６】
第１の装置と第２の装置を接続する簡易離脱式アダプタ機構であって、
第１部材と第２部材とからなり、
第１部材が、中空円筒状に形成されており、その内壁の上部に第１の装置を取り付けるためのネジ溝が螺刻されているとともに、大径な部位と小径な部位とを有しており、かつ、その小径な部位の周囲であって大径な部位の端縁際に、第１部材と第２部材とを密着状に接続するための密着部材が設けられており、なおかつ、小径な部位の外周に、第２部材を嵌合するための周状嵌合溝が設けられているとともに、
第２部材の上部に、前記嵌合溝に嵌入可能なＣ字状クリップが設置されているとともに、第２部材の下部に、第１部材と同径でネジ溝を螺刻した壁面が設けられており、
かつ、Ｃ字状クリップに、前記嵌合溝に嵌入したＣ字状クリップを外すためのレバーが設けられており、第２部材の壁面から突出した状態になっていることを特徴とする簡易離脱式アダプタ機構。
【請求項７】
簡易離脱式アダプタ機構を用い、第１の装置と第２の装置を接続する接続方法であって、
中空円筒状で内壁の上部にネジ溝が螺刻された第１部材を第１の装置に取り付けるとともに、
その第１部材に、大径な第１部位と小径な第２部位とを設け、その第２部位の周囲で第１部位の端縁際に、第１部材と第２部材とを密着状に接合するための密着部材を設置し、かつ、第２部位の外周に、第２部材を嵌合するための嵌合溝を設け、
さらに、第２部材の上部に、Ｃ字状クリップを設置し、そのＣ字状クリップを前記嵌合溝に嵌入することによって第２部材と第１部材とを接続し、第２部材の下部に、第１部材と同径でネジ溝が螺刻された螺刻壁面を設け、
なおかつ、Ｃ字状クリップの端縁に、嵌合溝に嵌入したＣ字状クリップを外すためのレバーを、第２部材の外周から突出するように設けることを特徴とする接続方法。
【手続補正２】
【補正対象書類名】明細書
【補正対象項目名】０００７
【補正方法】変更
【補正の内容】
【０００７】
【課題を解決するための手段】
本発明のうち、請求項１に記載の発明は、第１の装置と第２の装置とを接続した状態で光学軸に沿って第１の装置から第２の装置へ画像を移送可能な簡易着脱式アダプタ機構であって、第１の端縁が前記第２の装置と接続可能に配置され、第２の端縁が前記第１の装置と接続可能に配置された背板を有しているとともに、その背板の第２の端縁に、中空円筒状チャンバーがフランジ状に設けられており、かつその中空円筒状チャンバー内に、背板内に挿入された第１の装置を係止するための保持装置が設けられており、なおかつ、その保持装置に、第１の装置を離脱させるためのレバーが設けられており、円筒状チャンバーの外壁から突出した状態になっていることにある。請求項２に記載の発明は、請求項１に記載の発明において、保持装置が、両端にレバーとフックとを設けた円形のリングであり、そのフックによって、中空円筒状チャンバー内に係止可能になっていることにある。請求項３に記載の発明は、請求項１に記載の発明において、背板が、中空円筒状チャンバーの後方に中空円筒状チャンバーより小径な小径円筒部を設けたものであり、その小径円筒部上であって中空円筒状チャンバーから突出したレバーから所定の距離内に固定支柱が立設されており、その固定支柱を利用してレバーを操作することによって、背板に接続された第１の装置を片手で離脱可能なことにある。請求項４に記載の発明は、請求項１に記載の発明において、保持装置が、弾性部材によって形成されており、背板内に挿入された第１の装置を把持可能になっていることにある。
【手続補正３】
【補正対象書類名】明細書
【補正対象項目名】０００８
【補正方法】変更
【補正の内容】
【０００８】
請求項５に記載の発明は、簡易着脱式アダプタ機構を用い、第１の装置と第２の装置とを、光学軸に沿って第１の装置から第２の装置へ画像を移送可能に接続する接続方法であって、背板の第１の端縁を前記第２の装置と固着可能に配置し、背板の第２の端縁を前記第１の装置と固着可能に配置するとともに、背板の第２の端縁に、第１の装置を嵌合するための中空円筒状チャンバーをフランジ状に設け、かつ、その中空円筒状チャンバー内に、接眼レンズを背板に所定位置に固定可能に保持装置を設け、なおかつ、その保持装置に、第１の装置を背板から素早く離脱させるためのレバーを円筒状チャンバーから突出するように設けることにある。
【手続補正４】
【補正対象書類名】明細書
【補正対象項目名】０００９
【補正方法】変更
【補正の内容】
【０００９】
請求項６に記載の発明は、第１の装置と第２の装置を接続する簡易離脱式アダプタ機構であって、第１部材と第２部材とからなり、第１部材が、中空円筒状に形成されており、その内壁の上部に第１の装置を取り付けるためのネジ溝が螺刻されているとともに、大径な部位と小径な部位とを有しており、かつ、その小径な部位の周囲であって大径な部位の端縁際に、第１部材と第２部材とを密着状に接続するための密着部材が設けられており、なおかつ、小径な部位の外周に、第２部材を嵌合するための周状嵌合溝が設けられているとともに、第２部材の上部に、前記嵌合溝に嵌入可能なＣ字状クリップが設置されているとともに、第２部材の下部に、第１部材と同径でネジ溝を螺刻した壁面が設けられており、かつ、Ｃ字状クリップに、前記嵌合溝に嵌入したＣ字状クリップを外すためのレバーが設けられており、第２部材の壁面から突出した状態になっていることにある。
【手続補正５】
【補正対象書類名】明細書
【補正対象項目名】００１０
【補正方法】変更
【補正の内容】
【００１０】
請求項７に記載の発明は、簡易離脱式アダプタ機構を用い、第１の装置と第２の装置を接続する接続方法であって、中空円筒状で内壁の上部にネジ溝が螺刻された第１部材を第１の装置に取り付けるとともに、その第１部材に、大径な第１部位と小径な第２部位とを設け、その第２部位の周囲で第１部位の端縁際に、第１部材と第２部材とを密着状に接合するための密着部材を設置し、かつ、第２部位の外周に、第２部材を嵌合するための嵌合溝を設け、さらに、第２部材の上部に、Ｃ字状クリップを設置し、そのＣ字状クリップを前記嵌合溝に嵌入することによって第２部材と第１部材とを接続し、第２部材の下部に、第１部材と同径でネジ溝が螺刻された螺刻壁面を設け、なおかつ、Ｃ字状クリップの端縁に、嵌合溝に嵌入したＣ字状クリップを外すためのレバーを、第２部材の外周から突出するように設けることにある。